(57)【要約】【課題】向上した精度で薬剤の禁忌判定を行なうことができる薬剤判定システムを提供する。【解決手段】薬剤判定システム１は、管理サーバ２を備える。管理サーバ２は、薬剤添付文書に記載された禁忌症状情報、および、禁忌症状情報の重篤度を、薬剤ごとに記録する薬剤別禁忌症状情報データベース４と、病名を含む患者情報を記録する患者情報データベース５と、各禁忌症状情報の重篤度ごとに検査基準値を記録する検査基準値データベース６と、患者情報データベース５に記録された重篤度に基づいて、検査基準値データベース６に記録された検査基準値を参照して薬剤が禁忌かどうかを判定する方法、もしくは、患者の患者情報データベース５に記録された病名と検査基準値データベース６に記録された検査基準値とを参照して薬剤が禁忌かどうかを判定する方法で、薬剤が禁忌かどうかを判定する判定手段７を有する。【選択図】図１
2012133563.tif 000002
【特許請求の範囲】
【請求項１】
薬剤添付文書に記載された禁忌症状情報、および同禁忌症状情報の重篤度を、薬剤ごとに記録する薬剤別禁忌症状情報記録手段と、
病名を含む患者に関する情報である患者情報を記録する患者情報記録手段と、
前記薬剤別禁忌症状情報記録手段に記録された各禁忌症状情報の前記重篤度ごとに検査基準値を記録する検査基準値記録手段と、
処方される薬剤の薬剤添付文書に記載された禁忌症状情報、および同禁忌症状情報の重篤度に基づいて、前記検査基準値記録手段に記録された検査基準値を参照して薬剤が禁忌かどうかを判定する方法、もしくは、患者の前記患者情報記録手段に記録された病名と前記検査基準値記録手段に記録された検査基準値とを参照して薬剤が禁忌かどうかを判定する方法で、薬剤が禁忌かどうかを判定する判定手段とを有する管理サーバを備える
薬剤判定システム。
【請求項２】
前記管理サーバは、前記薬剤別禁忌症状情報記録手段に記録された各禁忌症状情報の前記重篤度ごとに、前記検査基準値記録手段に記録された検査基準値を参照して薬剤が禁忌かどうかを判定する方法、ならびに、前記薬剤別禁忌症状情報記録手段に記録された各禁忌症状情報の前記重篤度ごとに、患者の前記病名と前記検査基準値記録手段に記録された検査基準値とを参照して薬剤が禁忌かどうかを判定する方法、を記録する判定方法記録手段を有する
請求項１に記載の薬剤判定システム。
【請求項３】
前記管理サーバは、前記患者情報記録手段に記録された患者情報に含まれる検査データのうち腎機能の検査データに基づいて、薬剤の投与量を決定する薬剤投与量決定手段を有する
請求項１または請求項２に記載の薬剤判定システム。
【請求項４】
処方される薬剤に関する情報である薬剤情報を、通信回線を介して送信する薬剤情報送信手段を有するユーザ端末と、
薬剤添付文書に記載された禁忌症状情報、および同禁忌症状情報の重篤度を、薬剤ごとに記録する薬剤別禁忌症状情報記録手段と、病名を含む患者に関する情報である患者情報を記録する患者情報記録手段と、前記薬剤別禁忌症状情報記録手段に記録された各禁忌症状情報の前記重篤度ごとに検査基準値を記録する検査基準値記録手段と、処方される薬剤の薬剤添付文書に記載された禁忌症状情報、および同禁忌症状情報の重篤度に基づいて、前記検査基準値記録手段に記録された検査基準値を参照して前記ユーザ端末から送信された薬剤情報の薬剤が禁忌かどうかを判定する方法、もしくは、患者の前記患者情報記録手段に記録された病名と前記検査基準値記録手段に記録された検査基準値とを参照して前記ユーザ端末から送信された薬剤情報の薬剤が禁忌かどうかを判定する方法で、薬剤が禁忌かどうかを判定する判定手段とを有する管理サーバとを備える
薬剤判定システム。
【発明の詳細な説明】
【技術分野】
【０００１】
本発明は薬剤判定システムに関する。詳しくは、処方する予定の薬剤の禁忌を判定する薬剤判定システムに係るものである。
【背景技術】
【０００２】
一般的な医療業務の流れは以下のとおりである。
最初に患者は、診察券や電話などを利用して、病院などの医療機関に診療予約を行なう。そして、患者は、病院へ行き、医師の診察を受ける。
【０００３】
次に、患者は医師または看護師の医療処置を受け、医療機関から紙に書かれた処方せんを受け取る。
その後、入院しない患者は、処方せんを調剤薬局に持参して提出する。
【０００４】
そして、調剤薬局は、患者から処方せんを受け取ると、処方せんに基づいて薬剤師が薬を調剤して調剤薬を調製し、調製した調剤薬についての用法や効能を患者に説明した後、調剤薬を患者に渡す。
【０００５】
一方、入院する患者は、病院内で、処方された薬剤を投与され、医師、看護師、薬剤師などによって薬剤に関する管理を受ける。
【０００６】
また、調剤について例えば特許文献１には、コンピュータを用いて、処方せん情報を入力した後、その患者のＩＤを指定して調剤手順の出力指示を行なうと、画面に、入力された今回の処方せん情報と、入力された前回の処方せん情報に基づいて、今回の為に予め調剤しておいた分の予製調剤情報と、今回の処方せん情報と前回の処方せん情報との照合結果情報とを表示する調剤処理システムが記載されている。
【先行技術文献】
【特許文献】
【０００７】
【特許文献１】特開２００２−２５９５６４号公報
【発明の概要】
【発明が解決しようとする課題】
【０００８】
ところで、薬剤の処方にあたっては、医師などは、薬剤添付文書を参照して、投与してはいけない症状（禁忌症状）を確認し、処方しているのが現状であるが、禁忌症状の確認だけでは、正確な処方ができているかどうか不安であった。
そこで、薬剤の禁忌判定の精度をさらに向上させることが要求されていた。
【０００９】
本発明は、以上の点に鑑みて創案されたものであり、向上した精度で薬剤の禁忌判定を行なうことができる薬剤判定システムを提供することを目的とする。
【課題を解決するための手段】
【００１０】
上記の目的を達成するために、本発明の薬剤判定システムは、薬剤添付文書に記載された禁忌症状情報、および同禁忌症状情報の重篤度を、薬剤ごとに記録する薬剤別禁忌症状情報記録手段と、病名を含む患者に関する情報である患者情報を記録する患者情報記録手段と、前記薬剤別禁忌症状情報記録手段に記録された各禁忌症状情報の前記重篤度ごとに検査基準値を記録する検査基準値記録手段と、処方される薬剤の薬剤添付文書に記載された禁忌症状情報、および同禁忌症状情報の重篤度に基づいて、前記検査基準値記録手段に記録された検査基準値を参照して薬剤が禁忌かどうかを判定する方法、もしくは、患者の前記患者情報記録手段に記録された病名と前記検査基準値記録手段に記録された検査基準値とを参照して薬剤が禁忌かどうかを判定する方法で、薬剤が禁忌かどうかを判定する判定手段とを有する管理サーバを備える。
【００１１】
また、上記の目的を達成するために、本発明の薬剤判定システムは、処方される薬剤に関する情報である薬剤情報を、通信回線を介して送信する薬剤情報送信手段を有するユーザ端末と、薬剤添付文書に記載された禁忌症状情報、および同禁忌症状情報の重篤度を、薬剤ごとに記録する薬剤別禁忌症状情報記録手段と、病名を含む患者に関する情報である患者情報を記録する患者情報記録手段と、前記薬剤別禁忌症状情報記録手段に記録された各禁忌症状情報の前記重篤度ごとに検査基準値を記録する検査基準値記録手段と、処方される薬剤の薬剤添付文書に記載された禁忌症状情報、および同禁忌症状情報の重篤度に基づいて、前記検査基準値記録手段に記録された検査基準値を参照して前記ユーザ端末から送信された薬剤情報の薬剤が禁忌かどうかを判定する方法、もしくは、患者の前記患者情報記録手段に記録された病名と前記検査基準値記録手段に記録された検査基準値とを参照して前記ユーザ端末から送信された薬剤情報の薬剤が禁忌かどうかを判定する方法で、薬剤が禁忌かどうかを判定する判定手段とを有する管理サーバとを備える。
【００１２】
ここで、処方される薬剤の薬剤添付文書に記載された禁忌症状情報、および同禁忌症状情報の重篤度に基づいて、前記検査基準値記録手段に記録された検査基準値を参照して前記ユーザ端末から送信された薬剤情報の薬剤が禁忌かどうかを判定する方法、もしくは、患者の前記患者情報記録手段に記録された病名と前記検査基準値記録手段に記録された検査基準値とを参照して前記ユーザ端末から送信された薬剤情報の薬剤が禁忌かどうかを判定する方法で、薬剤が禁忌かどうかを判定する判定手段によって、病名よりも客観性を有する検査データを用いて、薬剤の禁忌を判定することができる。
【００１３】
また、本発明の薬剤判定システムにおいて、管理サーバは、薬剤別禁忌症状情報記録手段に記録された各禁忌症状情報の重篤度ごとに、検査基準値記録手段に記録された検査基準値を参照して薬剤が禁忌かどうかを判定する方法、ならびに、薬剤別禁忌症状情報記録手段に記録された各禁忌症状情報の重篤度ごとに、患者の病名と検査基準値記録手段に記録された検査基準値とを参照して薬剤が禁忌かどうかを判定する方法、を記録する判定方法記録手段を有することとすることができる。
【００１４】
さらに、本発明の薬剤判定システムにおいて、管理サーバは、患者情報記録手段に記録された患者情報に含まれる検査データのうち腎機能の検査データに基づいて、薬剤の投与量を決定する薬剤投与量決定手段を有することとすることができる。
【発明の効果】
【００１５】
本発明に係る薬剤判定システムは、向上した精度で薬剤の禁忌判定を行なうことができる。
【図面の簡単な説明】
【００１６】
【図１】本発明の薬剤判定システムの一構成例を示す概略図である。
【図２】本発明の薬剤判定システムの流れの一例を示す概略フロー図である。
【発明を実施するための形態】
【００１７】
以下、本発明の実施の形態について図面を参照しながら説明し、本発明の理解に供する。
図１は、本発明の薬剤判定システムの一構成例を示す概略図である。
【００１８】
本発明の薬剤判定システム１は、管理サーバ２、および、管理サーバ２とインターネット（通信回線の一例である。）１１を介して通信可能であると共に医師が利用する医師端末（ユーザ端末の一例である。）３を備える。
【００１９】
また、管理サーバ２は、薬剤添付文書に記載された禁忌症状情報、および、禁忌症状情報の重篤度を、薬剤ごとに記録する薬剤別禁忌症状情報データベース（薬剤別禁忌症状情報記録手段の一例である。）４を有する。
【００２０】
ここで、薬剤別禁忌症状情報データベース４には、基本的には薬剤添付文書に記載された内容が記録されており、具体的には例えば、薬剤名、薬剤についての対象禁忌病名（禁忌症状情報）、対象禁忌病名ごとの重篤度が、記録されている。
【００２１】
また、「重篤度」とは、１つの病名について病状の重さの程度を示すものであり、例えば、「肝障害」という病名については、重篤であれば「重篤度Ｂ」、非代償性であれば「重篤度Ｃ」、中等度あるいは重度であれば「重篤度Ｄ」であるというように分けられる。
【００２２】
また、管理サーバ２は、病名を含む患者に関する情報である患者情報を記録する患者情報データベース（患者情報記録手段の一例である。）５を有する。
ここで、患者情報データベース５には、患者に関する情報、例えば、患者の氏名、生年月日、性別、診療科名、検査データ、病名、病気の重篤度、服用薬剤、副作用の状況、投与量状況、患者の問題点、患者のバイタル（体温、血圧、脈拍など）データ、治療方針が記録される。
【００２３】
また、管理サーバ２は、薬剤別禁忌症状情報データベース４に記録された各禁忌症状情報の重篤度ごとに検査基準値を記録する検査基準値データベース（検査基準値記録手段の一例である。）６を有する。
【００２４】
ここで、検査基準値データベース６には、例えば、禁忌症状（禁忌病名）が「肝障害」であり、肝障害の重篤度が「Ｂ」についての検査基準値、肝障害の重篤度が「Ｄ」についての検査基準値、および、禁忌症状が「腎障害」であり腎障害の重篤度が「Ｂ」についての検査基準値、が記録される。
また、検査基準値は、男性の検査基準値と女性の検査基準値に分けられ、それぞれ上限と下限が決められている。
【００２５】
また、管理サーバ２は、処方される薬剤の薬剤別禁忌症状情報データベース４に記録された各禁忌症状情報の重篤度に基づいて、検査基準値データベース６に記録された検査基準値を参照して薬剤が禁忌かどうかを判定する方法、もしくは、患者の患者情報データベース５に記録された病名と検査基準値データベース６に記録された検査基準値とを参照して薬剤が禁忌かどうかを判定する方法で、薬剤が禁忌かどうかを判定する判定手段７を有する。
【００２６】
また、管理サーバ２は、処方される薬剤の薬剤別禁忌症状情報データベース４に記録された各禁忌症状情報の重篤度に基づいて、検査基準値データベース６に記録された検査基準値を参照して薬剤が禁忌かどうかを判定する方法、ならびに、患者の患者情報データベース５に記録された病名と検査基準値データベース６に記録された検査基準値とを参照して薬剤が禁忌かどうかを判定する方法、を記録する判定方法データベース（判定方法記録手段の一例である。）８を有する。
【００２７】
また、管理サーバ２は、患者情報データベース５に記録された患者情報に含まれる検査データのうち腎機能の検査データに基づいて、薬剤の投与量を決定する薬剤投与量決定手段９を有する。
【００２８】
また、医師端末３は、処方される薬剤に関する情報である薬剤情報を、インターネット１１を介して送信する薬剤情報送信手段１０を有する。
ここで、通信回線の例としてインターネットを挙げているが、必ずしもインターネットでなくてもよく、例えばＬＡＮ回線などの専用回線を使用してもよい。
また、管理サーバ２に、医師などが直接、薬剤情報を入力してもよい。
【００２９】
ここで、管理サーバが、薬剤添付文書に記載された禁忌症状情報、および禁忌症状情報の重篤度を、薬剤ごとに記録する薬剤別禁忌症状情報記録手段と、病名を含む患者に関する情報である患者情報を記録する患者情報記録手段と、薬剤別禁忌症状情報記録手段に記録された各禁忌症状情報の重篤度ごとに検査基準値を記録する検査基準値記録手段と、処方される薬剤の薬剤添付文書に記載された禁忌症状情報、および同禁忌症状情報の重篤度に基づいて、前記検査基準値記録手段に記録された検査基準値を参照して前記ユーザ端末から送信された薬剤情報の薬剤が禁忌かどうかを判定する方法、もしくは、患者の前記患者情報記録手段に記録された病名と前記検査基準値記録手段に記録された検査基準値とを参照して前記ユーザ端末から送信された薬剤情報の薬剤が禁忌かどうかを判定する方法で、薬剤が禁忌かどうかを判定する判定手段を有していれば、必ずしも管理サーバは、薬剤投与量決定手段を有していなくてもよい。
【００３０】
図２は、本発明の薬剤判定システムの流れの一例を示す概略フロー図である。
患者の病名を特定して、管理サーバ２の患者情報データベース５に、患者ごとに病名が記録される（ステップＳ１）。
【００３１】
次に、管理サーバ２の患者情報データベース５に、患者ごとの検査データが記録される（ステップＳ２）。
【００３２】
そして、患者に処方される薬剤の薬剤別禁忌症状情報データベース４に記録された禁忌症状情報、および、各禁忌症状情報の重篤度に基づいて、判定方法データベース８に記録された判定方法を選択する（ステップＳ３）。
【００３３】
さらに、選択された判定方法に基づいて、患者に処方する予定の薬剤が禁忌かどうかを判定する（ステップＳ４）。
【００３４】
すなわち、検査基準値データベース６に記録された検査基準値のみに基づいて、処方予定の薬剤が禁忌かどうかを判定する方法が選択された場合、例えば薬剤別禁忌症状情報データベース４に記録された禁忌症状情報が腎障害で重篤度「Ｂ」であれば、管理サーバ２の判定手段７は、検査基準値データベース６を参照して、患者情報データベース５に記録された患者の検査データが、検査基準値データベース６に記録された、各禁忌症状の重篤度ごとの検査基準値から外れていれば（すなわち、下限より低い、もしくは上限より高い場合）、処方予定の薬剤は「禁忌である」と判定する。
【００３５】
また、患者情報データベース５に記録された患者の病名と、検査基準値データベース６に記録された検査基準値とに基づいて、処方予定の薬剤が禁忌かどうかを判定する方法が選択された場合、例えば薬剤別禁忌症状情報データベース４に記録された禁忌症状情報が肝硬変で重篤度「Ｂ」であれば、管理サーバ２の判定手段７は、先ず、薬剤別禁忌症状情報データベース４を参照して、患者の病名が、薬剤別禁忌症状情報データベース４に記録された禁忌症状情報に含まれる病名と一致するかどうかを調べる。
【００３６】
そして、一致する場合も、一致しない場合も、管理サーバ２の判定手段７は、検査基準値データベース６を参照して、患者情報データベース５に記録された患者の検査データが、検査基準値データベース６に記録された、禁忌症状の重篤度ごとの検査基準値から外れていれば、処方予定の薬剤は「禁忌である」と判定する。
【００３７】
そして、医師は、判定手段７の判定結果を参照して、処方を行なう（ステップＳ５）。
【００３８】
以上のように、本発明の薬剤判定システムは、検査基準値を参照して薬剤が禁忌かどうかを判定するので、病名よりも客観性を有する検査データを用いて、薬剤の禁忌を判定することができる。
【００３９】
よって、本発明の薬剤判定システムは、向上した精度で薬剤の禁忌判定を行なうことができる。
【００４０】
管理サーバの判定手段が、処方予定の薬剤は「禁忌ではない」と判定すれば、処方予定の薬剤は、検査データという客観的な情報を用いて、「禁忌ではない」という評価が得られたので、病名のみに頼った判定よりも精度が向上しており、医師によって処方される可能性が高くなる。
【００４１】
また、本発明の薬剤判定システムに加えて、薬剤処方支援システムを備える薬剤総合支援システムを構築することも考えられる。
この場合、薬剤判定システムのための管理サーバと、薬剤処方支援システムのための管理サーバをそれぞれ別に設けるようにしてもよいし、また、共通の管理サーバを設けるようにしてもよい。
【００４２】
ここで、薬剤処方支援システムは、薬剤添付文書に記載された禁忌症状情報を、薬剤ごとに記録する薬剤別禁忌症状情報記録手段と、前記禁忌症状情報に対応する治療薬に関する情報を記録する治療薬情報記録手段と、服用薬剤の情報を含む患者に関する情報である患者情報を記録する患者情報記録手段と、該患者情報記録手段に記録された服用薬剤の情報および前記治療薬情報記録手段に記録された治療薬の情報から禁忌症状情報を特定し、特定した禁忌症状情報に基づいて薬剤が禁忌かどうかを判定する方法で、薬剤が禁忌かどうかを判定する判定手段とを有する管理サーバを備えるシステムである。
【００４３】
例えば、消化性潰瘍のような検査データを得ることができない病気の患者に処方しようとする薬剤の禁忌を判定したい場合は、薬剤総合支援システムのうち、薬剤処方支援システムを利用して、処方する予定の薬剤が禁忌かどうかを判定する。
【００４４】
すなわち、薬剤処方支援システムが備える管理サーバの判定手段は、服用薬剤の情報と、禁忌症状情報に対応する治療薬の情報とから、禁忌症状情報を特定し、特定した禁忌症状情報に基づいて、処方する予定の薬剤が禁忌かどうかを判定する方法で、薬剤が禁忌かどうかを判定する。
【００４５】
服用薬剤が治療薬と一致すれば、その患者が患っている具体的な禁忌症状は例えば消化性潰瘍であるとみなし、薬剤別禁忌症状情報データベースを参照すれば消化性潰瘍に対して禁忌の薬剤も判るので、処方される薬剤と照合して、処方される薬剤が禁忌かどうかを判定する。
【００４６】
また、薬剤総合支援システムにおいて、検査データを得ることができない病気をデータベースに記録しておき、このデータベースを参照して、薬剤判定システムを利用するか、薬剤処方支援システムを利用するかを決定することとしてもよい。
【符号の説明】
【００４７】
１    薬剤判定システム
２    管理サーバ
３    医師端末
４    薬剤別禁忌症状情報データベース
５    患者情報データベース
６    検査基準値データベース
７    判定手段
８    判定方法データベース
９    薬剤投与量決定手段
１０    薬剤情報送信手段
１１    インターネット
【図１】
2012133563.tif 000003
【図２】
2012133563.tif 000004